(57)【要約】      （修正有）【課題】歯科用成型粉攪拌機の提供。【解決手段】モータ伝動軸を架台１２０上の収容コップ１２１に取り付けて回転する。モータに架台を通して、凹み溝１１２を備える回転軸１１１を設け、架台上に凹み溝に合わせたベルト輪１３１ａ、１３１ｂを設けて、調節機構１４０によりベルト輪を架台上で往復に移動させる。このほか、収容コップとベルト輪との間に一組の向かい合わせた回転輪を設け、収容コップ上はさらにベルト輪を設けることにより、凹み溝、ベルト輪および回転輪に備えるベルトによって、収容コップを駆動し回転させる一種の歯科用成形粉攪拌機を提供する。【選択図】図２
0003121693.tif 000002
【実用新案登録請求の範囲】
【請求項１】
一種歯科用成型粉攪拌機において、モータにより架台に軸設する収容コップを駆動し回転させ、
該モータは架台を突き出す回転軸を設け、回転軸の天面に一つまたは複数の凹み溝を設け、且つ架台上に凹み溝に合わせてベルト輪を設け、調節装置によりベルト輪を架台に置いて、その位置は往復に移動でき、このほか、収容コップとベルト輪との間に備える架台の両側に向かい合って一対の回転輪を設けることを特徴とする歯科用成型粉攪拌機。
【請求項２】
請求項１記載の歯科用成型粉攪拌機において、調節装置にらせん棒を設け、らせん棒を貫通ピンおよびバランスセンサーを設ける構造であることを特徴とする歯科用成型粉攪拌機。
【請求項３】
請求項１記載の歯科用成型粉攪拌機において、収容コップ上にベルト輪を設ける構造であることを特徴とする歯科用成型粉攪拌機。
【考案の詳細な説明】
【技術分野】
【０００１】
本考案は一種の攪拌機、特に一種の歯科用成形粉攪拌機に関わる。
【背景技術】
【０００２】
通常、入れ歯を作製するとき、歯型を取ってから、この歯型に基づいて、入れ歯を作製する。その歯型材料を作製する工程は、成形粉または石膏と水を均一に攪拌し、粘り状態にした後に、固まりおよび定型により、前記の攪拌工程を終了する。
【０００３】
前記の攪拌作業は特許文献１に開示されたような成形材料攪拌機による。その公報で開示された歯科用成形粉攪拌機は主に、駆動装置に設ける遊星歯車の協働により、攪拌機内部のモータを起動した後、V型架台で回転軸により設ける収容溝と収容コップは、反対方向に回転し、成形粉攪拌の目的を実現する。
【０００４】
図１に示すものは、特許文献２である。その構造は、主に２本ベルトと複数本のベルト輪と押さえ機構により構成する。そのうち、前記のベルト輪はV型架台で回転軸により設ける。このV型架台に収容溝とこの収容溝内に備える収容コップを設けるほか、V型架台はモータの回転軸に設け、２本ベルトはベルト輪に絡ませる。そのうち１本のベルトはさらに収容コップを絡ませておく、モータを起動した後、モータの回転軸はV型架台を駆動して回転し、ベルトとベルト輪の相互連動により、V型架台上に備える収容溝と収容コップを回転させる。攪拌機が長い期間の駆動により、ベルト輪と組みあわせた伝動ベルトは弾性疲労のため、攪拌機の正常機能が影響されるため、ベルトを交換し、良好な使用状態を維持しなければならない。しかしながら、ベルトの寸法は、伝動機構の規格によって設計したため、ベルトを広げて、V型架台から取り出すことができない。収容溝、V型架台などの部品をそれぞれ取り外してから、ベルトを外さなければならない。図１に示すとおり、ベルト輪はV型架台の下方に取り付けられて、回転軸上のベルトは収容溝とV型架台の下部に取り付けているため、この攪拌機の伝動機構からベルトを交換することは非常に手間と時間が掛かることが分かる。
【０００５】
【特許文献１】台湾特許公報第２７４７４１号明細書
【特許文献２】台湾特許公報M２７８４７３号明細書
【考案の開示】
【考案が解決しようとする課題】
【０００６】
本考案の主な目的は、前記の欠点を解決するため、主にモータ伝動軸を架台上の収容コップに取り付けて回転する。モータに架台を通して、凹み溝を備える回転軸を設け、架台上に凹み溝に合わせたベルト輪を設けて、調節機構によりベルト輪を架台上で往復に移動させる。このほか、収容コップとベルト輪との間に一組の向かい合わせた回転輪を設け、収容コップ上はさらにベルト輪を設けることにより、凹み溝、ベルト輪および回転輪に備えるベルトによって、収容コップを駆動し回転させる一種の歯科用成形粉攪拌機を提供する。
【０００７】
調節機構にらせん棒を設け、らせん棒を貫通したピンとバランスセンサーを設ける。利用者は回転動作により、ピンを調節できる。ピンを架台の中心部に締めつけると、架台上に取り付けたベルト輪は攪拌機の中心部に移動し、攪拌機に取り付けた部品を取り外すことなく、ベルトの素早く交換を実現する。このほか、本考案の歯科用成形粉攪拌機はバランスセンサーとピンの微調整により、攪拌機が起動するとき、バランスを崩れて揺れるがため、攪拌作業に影響することがない。
【課題を解決するための手段】
【０００８】
請求項１の考案は、一種歯科用成型粉攪拌機において、モータにより架台に軸設する収容コップを駆動し回転させ、
該モータは架台を突き出す回転軸を設け、回転軸の天面に一つまたは複数の凹み溝を設け、且つ架台上に凹み溝に合わせてベルト輪を設け、調節装置によりベルト輪を架台に置いて、その位置は往復に移動でき、このほか、収容コップとベルト輪との間に備える架台の両側に向かい合って一対の回転輪を設けることを特徴とする歯科用成型粉攪拌機としている。
請求項２の考案は、請求項１記載の歯科用成型粉攪拌機において、調節装置にらせん棒を設け、らせん棒を貫通ピンおよびバランスセンサーを設ける構造であることを特徴とする歯科用成型粉攪拌機としている。
請求項３の考案は、請求項１記載の歯科用成型粉攪拌機において、収容コップ上にベルト輪を設ける構造であることを特徴とする歯科用成型粉攪拌機としている。
【考案の効果】
【０００９】
本考案は、ピンを架台の中心部に締めつけると、架台上に取り付けたベルト輪は攪拌機の中心部に移動し、攪拌機に取り付けた部品を取り外すことなく、ベルトの素早く交換を実現する。このほか、本考案の歯科用成形粉攪拌機はバランスセンサーとピンの微調整により、攪拌機が起動するとき、バランスを崩れて揺れるがため、攪拌作業に影響することがない。
【考案を実施するための最良の形態】
【００１０】
図２、図３に示すものは、本考案の外観概略図と上視図である。本考案の歯科用成形粉攪拌機１００は、モータ１１０に取り付ける回転軸１１１により、架台１２０上に備える収容コップ１２１に接続し回転する。収容コップにベルト輪１３１aを設ける。そのうち、回転軸１１１は架台１２０を貫通し、回転軸１１１の天面に一つまたは複数の凹み溝１１２を設ける（図４）。架台１２０に凹み溝１１２に合わせてベルト輪１３１bを設け、調節きこうにより、ベルト輪１３１bを架台１２０上に設けて、往復移動できるようにする。さらに、収容コップ１２１とベルト輪１３１bとの間に備える架台１２０の両側に向かい合わせた回転輪１３２を設けて、凹み溝１１２、ベルト輪１３１a、１３１bおよび回転輪１３２に取り付ける複数本のベルト１３０a、１３０bにより、収容コップ１２１を駆動して回転させる。
【００１１】
調節機構１４０はらせん棒１４１、らせん棒１４１を貫通するピン１４２およびバランスセンサー１４３を設け、ピン１４２にメスねじを設け、らせん棒１４１のピン１４２を通す場所に雄ねじを設ける。さらに、らせん棒１４１を順番にバランスセンサー１４３、ベルト輪１３１b中心部および架台１２０を通して、ピン１４２により、前記の部品を架台１２０に固定する。
【００１２】
モータ１１０により、回転軸１１１を駆動するとき、凹み溝１１２に取り付けるベルト１３０b（ベルト１３０bは歯車ラックを設けても良い）は、架台１２０に備えるベルト輪１３１bを駆動する。（もし、凹み溝１１２およびベルト輪１３１bに複数本のベルト１３０bを設けることにより、ベルト１３０bがベルト輪１３１b上で滑りによる空転現象を防止することができる。）ベルト輪１３１bはさらにもう一つのベルト１３０a（このベルト１３０aはゴムシートであっても良い）を設けるほか、ベルト１３０aをベルト輪１３１aに取り付ける。これにより、モータ１１０を起動した後、ベルト１３０aは回転輪１３２の駆動により、収容コップ１２１を駆動して回転する。
【００１３】
図５と図６に示すものは、本考案の動作図である。前記の調節機構１４０を回すことにより、ピン１４２を調節できる。ピン１４２を架台１２０中心部にねじ込まれたとき、ピン１４１はらせん棒１４２の協働により、架台１２０の中心部に移動して、ベルト輪１３１bを攪拌機１００の中心部に移動される。このとき、ベルト１３０a、１３０bはベルト輪１３１a、１３１bを抜け出すのみで、攪拌機１００は取り付け部品を外す必要がなく、ベルト１３０a、１３０bの交換を実現できる。そして、ベルト１３０a、１３０bをベルト輪１３１a、１３１bに取り付けることにより、ピン１４２を架台１２０中心部より抜き出すことができる。このほか、バランスセンサー１４３とピン１４２の微調整により、攪拌機１００を起動するときのバランス崩れによる攪拌機作業に影響する恐れがない。
【図面の簡単な説明】
【００１４】
【図１】公知技術の外観の概略図である。
【図２】本考案の外観の概略図である。
【図３】本考案の上視図である。
【図４】本考案の立面図である。
【図５】本考案の作動態様図である。
【図６】本考案の作動態様図である。
【符号の説明】
【００１５】
１００  攪拌機
１１０  モータ
１１１  回転軸
１１２  凹み溝
１２０  架台
１２１  収容コップ
１３０a、１３０b  ベルト
１３１a、１３１b  ベルト輪
１３２  回転輪
１４０  調節機構
１４１  らせん棒
１４２  ピン
１４３  バランスセンサー
【図１】
0003121693.tif 000003
【図２】
0003121693.tif 000004
【図３】
0003121693.tif 000005
【図４】
0003121693.tif 000006
【図５】
0003121693.tif 000007
【図６】
0003121693.tif 000008